(57)【要約】【課題】製造作業が容易でかつ、表示装置の位置ずれが抑制されたリモコン装置を提供する。【解決手段】リモコン装置は、制御基板と、有機ＥＬ本体５０と、有機ＥＬカバー４０とを備える。有機ＥＬカバー４０は制御基板に固定される。有機ＥＬカバー４０は、２対の内爪部材４１および１対の外爪部材４２を含み、２対の内爪部材４１を有機ＥＬ本体５０の両端部に掛けて有機ＥＬ本体５０を保持するとともに１対の外爪部材４２を制御基板に掛けることにより有機ＥＬ本体５０を制御基板に固定する。【選択図】図１１
2015142196.tif 000002
【特許請求の範囲】
【請求項１】
制御基板と、
前記制御基板に固定される表示装置と、
第１の爪部および第２の爪部を含み、前記第１の爪部を前記表示装置の両端部に掛けて前記表示装置を保持するとともに前記第２の爪部を前記制御基板に掛けることにより前記表示装置を前記制御基板に固定するカバー部材とを備える、リモコン装置。
【請求項２】
前記カバー部材は、前記表示装置の長手方向の前記両端部に前記第１の爪部を掛けて前記表示装置を保持する、請求項１に記載のリモコン装置。
【請求項３】
前記制御基板を内部に収容する筐体をさらに備え、
前記筐体は、前記筐体の厚み方向から見て前記表示装置と対向する位置において前記制御基板と反対側に突出するリモコン表示部を含み、
前記カバー部材は、前記表示装置を保持する領域の外周部に設けられた枠部を含み、前記枠部が前記リモコン表示部に嵌め込まれることにより前記筐体に固定される、請求項１または２に記載のリモコン装置。
【請求項４】
前記制御基板上には、前記厚み方向から見て前記リモコン表示部と離れた位置に光源部が配置され、
前記カバー部材は、前記厚み方向に沿った断面において前記光源部と前記リモコン表示部とを結ぶ直線上に位置する遮光部材を含む、請求項３に記載のリモコン装置。
【請求項５】
前記制御基板上には、前記厚み方向から見て前記リモコン表示部と離れた位置に複数のボタン発光部が配置され、
前記筐体には、前記厚み方向から見て前記複数のボタン発光部のそれぞれと対向する複数のランプ部が設けられ、
前記カバー部材は、前記厚み方向に沿った断面において、一の前記ボタン発光部と、前記一のボタン発光部に隣接する他の前記ボタン発光部に対向する前記ランプ部とを結ぶ直線上に位置する遮光板を含む、請求項３または４に記載のリモコン装置。
【請求項６】
前記カバー部材は、前記制御基板に設けられた穴部に前記第２の爪部を掛けることで前記制御基板に固定されており、
前記制御基板の厚み方向から見て、前記第２の爪部と前記制御基板との間には前記カバー部材と前記制御基板とが相対的に移動可能な隙間が形成されている、請求項１〜５のいずれか１項に記載のリモコン装置。
【請求項７】
前記表示装置は、有機エレクトロルミネッセンスディスプレイである、請求項１〜６のいずれか１項に記載のリモコン装置。
【発明の詳細な説明】
【技術分野】
【０００１】
本発明はリモコン装置に関し、より特定的には、製造作業が容易でかつ、表示装置の位置ずれが抑制されたリモコン装置に関する。
【背景技術】
【０００２】
給湯装置用のリモコン装置はたとえば浴室、居間、台所などに設けられ、給湯装置の運転状態を遠隔操作するために用いられる。この給湯装置用リモコン装置では、給湯装置の運転状態や給湯温度などの情報が表示される画像表示部に有機エレクトロルミネッセンス（Ｅｌｅｃｔｒｏ  Ｌｕｍｉｎｅｓｃｅｎｃｅ：ＥＬ）ディスプレイが採用されたものがある。また、特開２０１３−１８２８６７号公報（特許文献１）には、有機ＥＬが両面テープにより基板に接着された構造が記載されている。
【先行技術文献】
【特許文献】
【０００３】
【特許文献１】特開２０１３−１８２８６７号公報
【発明の概要】
【発明が解決しようとする課題】
【０００４】
従来の給湯装置用リモコンでは、有機ＥＬ本体が接着テープにより直接基板上に固定されていた。そのため、接着テープを用いて有機ＥＬ本体を基板上に貼り付ける作業が難しく、また貼り付け位置のずれが生じ易いという問題があった。
【０００５】
本発明は、上記課題に鑑みてなされたものであり、その目的は、製造作業が容易でかつ、表示装置の位置ずれが抑制されたリモコン装置を提供することである。
【課題を解決するための手段】
【０００６】
本発明に従ったリモコン装置は、制御基板と、表示装置と、カバー部材とを備える。表示装置は制御基板に固定される。カバー部材は、第１の爪部および第２の爪部を含み、第１の爪部を表示装置の両端部に掛けて表示装置を保持するとともに第２の爪部を制御基板に掛けることにより表示装置を制御基板に固定する。
【０００７】
本発明に従ったリモコン装置では、第１の爪部により表示装置がカバー部材に保持され、かつ第２の爪部が制御基板に掛けられることにより表示装置が制御基板に固定される。そのため、表示装置を制御基板上に直接貼り付ける場合と比べて製造作業が容易になり、制御基板に対する表示装置の位置ずれを抑制することができる。したがって、本発明に従ったリモコン装置によれば、製造作業が容易でかつ、表示装置の位置ずれが抑制されたリモコン装置を提供することができる。
【発明の効果】
【０００８】
以上の説明から明らかなように、本発明によれば、製造作業が容易でかつ、表示装置の位置ずれが抑制されたリモコン装置を提供することができる。
【図面の簡単な説明】
【０００９】
【図１】本発明の実施の形態に係るリモコン装置の全体構造を示す概略斜視図である。
【図２】図１中のリモコン装置から化粧枠が取り外された状態を示す概略斜視図である。
【図３】図２中のリモコン装置からリモコンベース部材をさらに取り外した状態を示す概略平面図である。
【図４】図３中のリモコンカバーから取り外された制御基板の表面側から見た構造を示す概略斜視図である。
【図５】図３中のリモコンカバーから取り外された制御基板の裏面側から見た構造を示す概略斜視図である。
【図６】図５中において領域ＶＩを拡大して示す概略図である。
【図７】図３中において領域ＶＩＩを拡大して示す概略図である。
【図８】外爪部材と制御基板とのクリアランスの設定を説明するための概略図である。
【図９】外爪部材と制御基板とのクリアランスの設定を説明するための他の概略図である。
【図１０】図４中の制御基板から取り外された有機ＥＬカバーを表面側から見た構造を示す概略図である。
【図１１】図４中の制御基板から取り外された有機ＥＬカバーを裏面側から見た構造を示す概略図である。
【図１２】図１１中において領域ＸＩＩを拡大して示す概略図である。
【図１３】有機ＥＬカバーに対して有機ＥＬ本体を取り付ける様子を示す概略斜視図である。
【図１４】図２中の線分ＸＩＶ−ＸＩＶに沿った構造を示す概略断面図である。
【図１５】図２中の線分ＸＶ−ＸＶに沿った構造を示す概略断面図である。
【図１６】図２中の線分ＸＶＩ−ＸＶＩに沿った構造を示す概略断面図である。
【図１７】図２中の線分ＸＶＩＩ−ＸＶＩＩに沿った構造を示す概略断面図である。
【図１８】比較例のリモコン装置の構造を示す概略断面図である。
【図１９】比較例のリモコン装置の構造を示す他の概略断面図である。
【発明を実施するための形態】
【００１０】
以下、図面に基づいて本発明の実施の形態を説明する。なお、以下の図面において同一または相当する部分には同一の参照番号を付し、その説明は繰返さない。
【００１１】
まず、本発明の一実施の形態に係るリモコン装置の構造について説明する。図１は、本実施の形態に係るリモコン装置１の全体構造を示している。図１を参照して、リモコン装置１は給湯装置用リモコンであり、たとえば居間や浴室の壁面に固定して使用される。リモコン装置１は前面１０ａを含む化粧枠１０を有しており、当該化粧枠１０は前面１０ａの正面視において長方形状を有する。なお、図１中左下に示すように、本明細書中では化粧枠１０の長辺方向をｘ方向とし、短辺方向をｙ方向とし、厚み方向をｚ方向とする。
【００１２】
化粧枠１０の前面１０ａには、開口部１０ｂと、複数のボタン部１１と、蓋部１２とが設けられている。開口部１０ｂはｘ方向に長手方向を有し、前面１０ａの中央部よりもｙ方向プラス側に設けられている。開口部１０ｂは、化粧枠１０の内部に収容されるリモコンカバーのリモコン表示部２１が嵌め込まれる部分である。
【００１３】
ボタン部１１は前面１０ａの中央部においてｘ方向に並んで設けられている。ボタン部１１は図１に示すように５つ設けられてもよいが、その設置数は特に限定されない。ボタン部１１は給湯装置の各種運転動作を行うためのものであり、たとえば給湯装置の運転入力スイッチ、お湯張りスイッチあるいは追い焚き用スイッチなどである。蓋部１２は前面１０ａの中央部よりｙ方向マイナス側に設けられている。蓋部１２は、図１中矢印に示すようにヒンジ部１３を中心に開閉可能に構成されている。
【００１４】
図２は、リモコン装置１において化粧枠１０が取り外された状態を示している。図２を参照して、リモコン装置１は、化粧枠１０（図１）の内部に収容されるリモコンカバー２０（筐体）およびリモコンベース部材６０をさらに有している。リモコンカバー２０およびリモコンベース部材６０は厚み方向（ｚ方向）に重なるように互いに嵌め合い固定されている。
【００１５】
リモコンカバー２０は透光性を有する材質からなり、表（おもて）面２０ａ側に突出するリモコン表示部２１と複数のランプ部２２とを有している。リモコン表示部２１はｘ方向に長手方向を有し、表面２０ａの中央部よりもｙ方向プラス側に設けられている。ランプ部２２はｘ方向において互いに間隔を有して並んでいる。
【００１６】
図３は、リモコン装置１においてリモコンベース部材６０をさらに取り外し、リモコンカバー２０を裏面側（表面２０ａと反対側）から見た状態を示している。図３を参照して、リモコン装置１はリモコンカバー２０の内部に収容される制御基板３０をさらに有している。制御基板３０はリモコンカバー２０の裏面側においてビス３１により固定されている。
【００１７】
図４は、リモコンカバー２０から取り外された制御基板３０を表（おもて）面３０ａ側から見た状態を示している。図５は、制御基板３０を裏面３０ｂ側から見た状態を示している。図６は、図５中における領域ＶＩの拡大図である。
【００１８】
図４を参照して、上記リモコン装置１は、制御基板３０に固定される有機ＥＬカバー４０（カバー部材）と、有機ＥＬカバー４０により保持されることで制御基板３０に固定される有機ＥＬ本体５０（表示装置）とをさらに有している。
【００１９】
図４〜図６を参照して、制御基板３０には２つの穴部３０ｃが設けられている。有機ＥＬカバー４０は、１対の外爪部材４２（第２の爪部）を有している。有機ＥＬカバー４０は、外爪部材４２が表面３０ａ側から穴部３０ｃに挿入され、当該外爪部材４２の先端部４２ａが裏面３０ｂに掛けられることにより制御基板３０に固定されている。これにより、有機ＥＬカバー４０は有機ＥＬ本体５０を制御基板３０に対して固定する。
【００２０】
図７は、図３中における領域ＶＩＩの拡大図である。図７を参照して、制御基板３０の厚み方向から見て、穴部３０ｃ内に挿入された外爪部材４２と制御基板３０との間には、ｘ方向およびｙ方向のいずれにも隙間（クリアランス）が形成されている。これにより、図７中矢印に示すように、ｘｙ平面内において有機ＥＬカバー４０と制御基板３０とを相対的に移動させることができるよう構成されている。
【００２１】
外爪部材４２と制御基板３０との間の上記隙間は、以下のように設定することができる。図８は、裏面２０ｂ側から見たリモコンカバー２０を示している。図８中のＬ１はリモコン表示部２１のｙ方向の中心位置を示す線であり、Ｌ２は基板固定ボス２３のｙ方向における中心位置を示す線である。図９は、裏面３０ｂ側から見た制御基板３０を示している。図９中のＬ３は穴部３０ｃのｙ方向における中心位置を示す線であり、Ｌ４は基板固定穴３０ｄのｙ方向における中心位置を示す線である。ｙ方向における上記隙間は、Ｌ１とＬ２との間の長さ寸法のばらつきとＬ３とＬ４との間の長さ寸法のばらつきとの合計として設定することができる。これにより、制御基板３０の位置を容易に補正することができる。
【００２２】
図１０は、制御基板３０から取り外された有機ＥＬカバー４０を表（おもて）面４０ａ側から見た状態を示している。図１１は、有機ＥＬカバー４０を裏面４０ｂ側から見た状態を示している。図１２は、図１１中の領域ＸＩＩにおける拡大図である。図１３は、有機ＥＬカバー４０に対して有機ＥＬ本体５０を取り付ける様子を示している。
【００２３】
図１０を参照して、有機ＥＬカバー４０の中央部には長手方向に沿った開口部４０ｃが設けられている。開口部４０ｃには有機ＥＬ本体５０が取り付けられている。開口部４０ｃの外周部には、表面４０ａ側に突出する枠部４３が設けられている。有機ＥＬカバー４０の一方の端部には、複数の遮光板４４が長手方向に沿って互いに間隔を有して設けられている。遮光壁４５（遮光部材）は筒形状を有し、表面４０ａ側に突出して設けられている。経由壁４６（遮光部材）は、遮光壁４５の外周を部分的に囲むように位置している。表面４０ａ上から見て、経由壁４６はコの字形状を有している。
【００２４】
図１１および図１２を参照して、有機ＥＬカバー４０の裏面４０ｂ側には２対の内爪部材４１（第１の爪部）が２つ並んで設けられている。有機ＥＬ本体５０は、内爪部材４１が長手方向の両端部に掛けられることにより、有機ＥＬカバー４０に挟持されている。有機ＥＬ本体５０は、有機ＥＬカバー４０の裏面側から開口部４０ｃ内に嵌め込まれ（図１３）、内爪部材４１により保持されている（図１１および１２）。内爪部材４１は、図１１に示すように有機ＥＬ本体５０の短辺の略中央部に掛けられている。これにより、有機ＥＬ本体５０を有機ＥＬカバー４０に容易に嵌め込むことができる。
【００２５】
次に、リモコン装置１の断面図を参照して厚み方向に沿った構造を説明する。図１４は、図２中の線分ＸＩＶ−ＸＩＶに沿った厚み方向の断面構造を示している。図１５は、図２中の線分ＸＶ−ＸＶに沿った厚み方向の断面構造を示している。図１６は、図２中の線分ＸＶＩ−ＸＶＩに沿った厚み方向の断面構造を示している。図１７は、図２中の線分ＸＶＩＩ−ＸＶＩＩに沿った厚み方向の断面構造を示している。
【００２６】
図１４および図１５を参照して、リモコン表示部２１は、リモコンカバー２０の厚み方向において有機ＥＬ本体５０と対向している。すなわち、有機ＥＬ本体５０は、リモコン表示部２１の裏面側の表示領域２４に位置している。有機ＥＬカバー４０の枠部４３は、リモコン表示部２１の内周面に沿って嵌め込まれている。これにより、有機ＥＬカバー４０はリモコンカバー２０に固定されて有機ＥＬ本体５０とリモコン表示部２１とが位置決めされている。
【００２７】
図１６を参照して、制御基板３０上には、リモコンカバー２０の厚み方向から見てリモコン表示部２１と離れた位置に複数のＬＥＤ３２ａ，３２ｂ，３２ｃ（ボタン発光部）が並んで配置されている。リモコンカバー２０に設けられたランプ部２２ａ，２２ｂ，２２ｃは、上記厚み方向から見てＬＥＤ３２ａ，３２ｂ，３２ｃの各々と対向している。遮光板４４は、上記厚み方向に沿った断面において、ＬＥＤ３２ｂとランプ部２２ａとを結ぶ直線上、およびＬＥＤ３２ｂとランプ部２２ｃとを結ぶ直線上に位置している。
【００２８】
図１７を参照して、制御基板３０上において、リモコンカバー２０の厚み方向から見てリモコン表示部２１と離れた位置にＬＥＤ３１（光源部）が２つ配置されている。ＬＥＤ３１は、上記厚み方向に沿った断面において遮光壁４５の内周側に位置している。そして、遮光壁４５および経由壁４６は、上記厚み方向に沿った断面において、ＬＥＤ３１とリモコン表示部２１とを結ぶ直線上に位置している。
【００２９】
次に、上記本実施の形態に係るリモコン装置１の特徴的な構成および作用効果について説明する。リモコン装置１は、制御基板３０と、制御基板３０に固定される有機ＥＬ本体５０（表示装置）と、２対の内爪部材４１（第１の爪部）および１対の外爪部材４２（第２の爪部）を含み、２対の内爪部材４１を有機ＥＬ本体５０の両端部に掛けて有機ＥＬ本体５０を保持するとともに１対の外爪部材４２を制御基板３０に掛けることにより有機ＥＬ本体５０を制御基板３０に固定する有機ＥＬカバー４０（カバー部材）とを備えている。
【００３０】
上記リモコン装置１では、２対の内爪部材４１により有機ＥＬ本体５０が有機ＥＬカバー４０に保持され、かつ１対の外爪部材４２が制御基板３０に掛けられることにより有機ＥＬ本体５０が制御基板３０に固定される。そのため、有機ＥＬ本体５０を制御基板３０上に直接貼り付ける場合と比べて製造作業が容易になり、制御基板３０に対する有機ＥＬ本体５０の位置ずれを抑制することができる。
【００３１】
上記リモコン装置１では、有機ＥＬカバー４０は、有機ＥＬ本体５０の長手方向の両端部に２対の内爪部材４１を掛けて有機ＥＬ本体５０を保持する。これにより、有機ＥＬ本体５０をより安定に保持することができる。
【００３２】
上記リモコン装置１は、制御基板３０を内部に収容するリモコンカバー２０を備えている。リモコンカバー２０は、リモコンカバー２０の厚み方向から見て有機ＥＬ本体５０と対向する位置において制御基板３０と反対側に突出するリモコン表示部２１を含んでいる。有機ＥＬカバー４０は、有機ＥＬ本体５０を保持する領域の外周部に設けられた枠部４３を含み、枠部４３がリモコン表示部２１に嵌め込まれることにより、リモコンカバー２０に固定される。これにより、リモコン表示部２１と有機ＥＬ本体５０との位置ずれを抑制することができる。
【００３３】
上記リモコン装置１では、制御基板３０上には、上記厚み方向から見てリモコン表示部２１と離れた位置にＬＥＤ３１（光源部）が配置されている。また、有機ＥＬカバー４０（カバー部材）は、上記厚み方向に沿った断面において、ＬＥＤ３１とリモコン表示部２１とを結ぶ直線上に位置する遮光壁４５および経由壁４６（遮光部材）を含んでいる。これにより、ＬＥＤ３１で発生した光がリモコン表示部２１まで達する導光距離をより長く設けることができる。その結果、図１９に示すように、ＬＥＤ３１０で発生した光がリモコン表示部２１０に写り込むことを抑制することができる。
【００３４】
上記リモコン装置１では、制御基板３０上には、上記厚み方向から見てリモコン表示部２１と離れた位置に複数のＬＥＤ３２ａ〜ｃ（ボタン発光部）が配置されている。リモコンカバー２０には、上記厚み方向から見て複数のＬＥＤ３２ａ〜ｃのそれぞれと対向する複数のランプ部２２ａ〜ｃが設けられている。有機ＥＬカバー４０は、上記厚み方向に沿った断面において、ＬＥＤ３２ｂと、当該ＬＥＤ３２ｂに隣接するＬＥＤ３２ａ，３２ｃに対向するランプ部２２ａ，２２ｃとを結ぶ直線上に位置する遮光板４４を含んでいる。これにより、図１８に示すように、ＬＥＤ３２０ｂで発生した光がランプ部２２０ａ，２２０ｃの方に拡散して光が漏れることを抑制することができる。
【００３５】
上記リモコン装置１では、有機ＥＬカバー４０は、制御基板３０に設けられた穴部３０ｃに１対の外爪部材４２（第２の爪部）を掛けることで制御基板３０に固定されている。制御基板３０の厚み方向から見て、１対の外爪部材４２（第２の爪部）と制御基板３０との間には有機ＥＬカバー４０と制御基板３０とが相対的に移動可能な隙間が形成されている。これにより、有機ＥＬカバー４０の位置決めをした後、制御基板３０の位置を容易に補正することができる。
【００３６】
上記リモコン装置１では、表示装置の一例として有機ＥＬ本体５０（有機エレクトロルミネッセンスディスプレイ）が採用されている。これにより、リモコン装置１においてより鮮明な画像を表示することができる。
【００３７】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００３８】
本発明のリモコン装置は、給湯装置用リモコン装置に適用され得る。
【符号の説明】
【００３９】
１  リモコン装置、１０  化粧枠、１０ａ  前面、１０ｂ，４０ｃ  開口部、１１  ボタン部、１２  蓋部、１３  ヒンジ部、２０  リモコンカバー、２０ａ，３０ａ，４０ａ  表面、２０ｂ，３０ｂ，４０ｂ  裏面、２１  リモコン表示部、２２（２２ａ，２２ｂ，２２ｃ）  ランプ部、２３  基板固定ボス、２４  表示領域、３０  制御基板、３０ｃ  穴部、３０ｄ  基板固定穴、３１  ビス、４０  有機ＥＬカバー、４１  内爪部材、４２  外爪部材、４２ａ  先端部、４３  枠部、４４  遮光板、４５  遮光壁、４６  経由壁、５０  有機ＥＬ本体、６０  リモコンベース部材。
【図１】
2015142196.tif 000003
【図２】
2015142196.tif 000004
【図３】
2015142196.tif 000005
【図４】
2015142196.tif 000006
【図５】
2015142196.tif 000007
【図６】
2015142196.tif 000008
【図７】
2015142196.tif 000009
【図８】
2015142196.tif 000010
【図９】
2015142196.tif 000011
【図１０】
2015142196.tif 000012
【図１１】
2015142196.tif 000013
【図１２】
2015142196.tif 000014
【図１３】
2015142196.tif 000015
【図１４】
2015142196.tif 000016
【図１５】
2015142196.tif 000017
【図１６】
2015142196.tif 000018
【図１７】
2015142196.tif 000019
【図１８】
2015142196.tif 000020
【図１９】
2015142196.tif 000021